(57)【要約】【課題】高輝度ＬＥＤおよび高演色ＬＥＤを含む光源で液晶パネルを照射する液晶表示装置において、輝度ムラと色ムラの解消を図る。【解決手段】液晶表示装置１０は、液晶パネル２１、光学シート２２、導光板２３、モノクロ液晶パネル２４、反射シート２５を積層して表示ユニット２０を形成する。光源ユニット３０の２種類のＬＥＤの両方を発光させる場合は、第１画像パターンをモノクロ液晶パネル２４に表示して、液晶パネル２１に輝度ムラおよび色ムラが生じるのを防止する。光源ユニット３０の２種類のＬＥＤの中で一方のみを発光させる場合は、第２画像パターンをモノクロ液晶パネル２４に表示して、液晶パネル２１に輝度ムラおよび色ムラが生じるのを防止する。【選択図】図１
2009053319.tif 000002
【特許請求の範囲】
【請求項１】
液晶パネルと反射部材との間に配置した導光板を介して前記液晶パネルを照射する光源ユニットを備える液晶表示装置において、
前記光源ユニットは、発光特性が相違する第１ＬＥＤおよび第２ＬＥＤを含み、
前記第１ＬＥＤは、前記第２ＬＥＤに比べて高輝度であり、
前記第２ＬＥＤは、前記第１ＬＥＤに比べて高演色性であり、
前記第１ＬＥＤおよび前記第２ＬＥＤの両方を発光させる第１発光状態と、前記第２ＬＥＤを発光させる第２発光状態とを切り替える切替手段と、
前記導光板と反射部材との間に配置したモノクロ液晶パネルと、
前記モノクロ液晶パネルに表示する画像パターンを記憶する記憶手段と、
前記液晶パネルに画像を表示する場合に、前記モノクロ液晶パネルに前記画像パターンを表示する処理を行う表示処理手段と
を備えることを特徴とする液晶表示装置。
【請求項２】
前記液晶パネルは、パネル周囲の形状が矩形であり、
前記光源ユニットは、前記液晶パネルの一辺部に対向するように配置してあり、
前記モノクロ液晶パネルは、前記液晶パネルの一辺部の側を含むと共に前記一辺部の反対側となる他辺部の側を含まない範囲に応じた寸法にしてある請求項１に記載の液晶表示装置。
【請求項３】
液晶パネルと対向して配置した導光板を介して前記液晶パネルを照射する光源ユニットを備える液晶表示装置において、
前記光源ユニットは、発光特性が相違する第１ＬＥＤおよび第２ＬＥＤを含み、
前記第１ＬＥＤは、前記第２ＬＥＤに比べて高輝度であり、
前記第２ＬＥＤは、前記第１ＬＥＤに比べて高演色性であり、
前記第１ＬＥＤおよび前記第２ＬＥＤの両方を発光させる第１発光状態と、前記第２ＬＥＤを発光させる第２発光状態とを切り替える切替手段と、
前記導光板の液晶パネルと反対側の面と対向するように配置した反射型表示素子と、
前記反射型表示素子に表示する画像パターンを記憶する記憶手段と、
前記液晶パネルに画像を表示する場合に、前記反射型表示素子に前記画像パターンを表示する処理を行う表示処理手段と
を備えることを特徴とする液晶表示装置。
【請求項４】
液晶パネルと対向して配置した導光板を介して前記液晶パネルを照射する光源ユニットを備える液晶表示装置において、
前記光源ユニットは、発光特性が相違する第１ＬＥＤおよび第２ＬＥＤを含み、
前記第１ＬＥＤは、前記第２ＬＥＤに比べて高輝度であり、
前記第２ＬＥＤは、前記第１ＬＥＤに比べて高演色性であり、
前記第１ＬＥＤおよび前記第２ＬＥＤの両方を発光させる第１発光状態と、前記第２ＬＥＤを発光させる第２発光状態とを切り替える切替手段と、
前記導光板の液晶パネルと反対側の面と対向するように配置した自発光型表示素子と、
前記自発光型表示素子に表示する画像パターンを記憶する記憶手段と、
前記液晶パネルに画像を表示する場合に、前記自発光型表示素子に前記画像パターンを表示する処理を行う表示処理手段と
を備えることを特徴とする液晶表示装置。
【請求項５】
前記記憶手段には、前記第１ＬＥＤから発せられた光で照射される箇所の輪郭形状に応じた第１画像パターンと、前記第２ＬＥＤから発せられた光で照射される箇所の輪郭形状に応じた第２画像パターンとが記憶してあり、
前記表示処理手段は、前記切替手段が前記第１発光状態へ切り替えた場合、前記第１画像パターンの表示処理を行うと共に、前記切替手段が第２発光状態へ切り替えた場合、前記第２画像パターンの表示処理を行う請求項１乃至請求項４のいずれか１項に記載の液晶表示装置。
【請求項６】
前記導光板は、周囲の全体的な形状が矩形であると共に、少なくともいずれか一つの角部に面取り的な斜辺部が形成してあり、
前記光源ユニットは、前記斜辺部に対向するように配置してある請求項１乃至請求項５のいずれか１項に記載の液晶表示装置。
【発明の詳細な説明】
【技術分野】
【０００１】
本発明は、発光特性が相違する２種類のＬＥＤを含む光源ユニットを用いて発光状態の切替を行った場合に、液晶パネルに輝度ムラおよび色ムラが生じないようにした液晶表示装置に関する。
【背景技術】
【０００２】
従来、液晶パネルを具備する携帯電話機およびデジタルカメラ等の小型の機器（表示機器）は、液晶パネルを照射する光源として、複数の白色ＬＥＤ（Light Emitting Diode）を用いることが多く、光源の照射方式には一般にサイドライト方式が採用される。サイドライト方式とは、液晶パネルの裏面に矩形状の導光板を配置し、その導光板の一辺となる側面と対向して複数の白色ＬＥＤなどの光源を設ける方式をいう。導光板は、白色ＬＥＤなどの点光源からの光を面光源へと変換して液晶パネルの裏面へ光を導くので、このような導光板のはたらきにより、液晶パネルは光源からの光で照射される。なお、小型の表示機器では、導光板の角部に面取り的な斜面を形成し、その斜面へ向けて照射するように光源を配置することもある。
【０００３】
液晶パネルの照射に用いられる光源（白色ＬＥＤ）で現在主流となっているものは、青色ＬＥＤの発光チップと蛍光体とを組み合わせたものである。青色ＬＥＤの発光チップと黄色の蛍光体（ＹＡＧ）とが組み合わされると、輝度を優先した白色ＬＥＤ（高輝度ＬＥＤと称す。）になる。また、青色ＬＥＤの発光チップと赤色と緑色の蛍光体とが組み合わされると、演色性を優先した白色ＬＥＤ（高演色ＬＥＤと称す。）になる。なお、演色性とは、ランプなどの光源がある物体を照らしたときに、その物体の色の見え方に及ぼす光源の性質をいい、演色性の代表的な指標としては、平均演色評価数Ｒａが用いられる。Ｒａは基準光源を１００として、１００に近いほど演色性が良いことを示す。
【０００４】
小型の表示機器（液晶表示装置）は通常、持ち運び可能なため、屋外および屋内の両方で使用され、このような使用環境の変化に応じた表示性能が要求される。すなわち、屋外の使用では、太陽光に晒されることから、太陽光が液晶パネルに反射して表示コンテンツが見にくくなるので液晶パネルの表示に関する輝度を高くする必要が生じる。一方、屋内では、室内光の下、画質を向上させるために、表示に対して演色性を高くする必要がある。そこで、光源に発光特性の異なる高輝度ＬＥＤと高演色ＬＥＤの２種類のＬＥＤを用い、屋外では両方のＬＥＤで液晶パネルを照射することで輝度を高めて表示コンテンツを見やすくし、屋内では高演色ＬＥＤのみで照射して演色性を高めた表示を行うようなＬＥＤの発光に関する切替制御を行うことが考えられる。
【０００５】
なお、下記の特許文献１では、液晶表示装置の液晶パネルの色ムラを軽減するため、ＬＥＤの近傍に、色度補正用ＬＥＤを備えた液晶表示装置が開示されている。また、下記の特許文献２では、内蔵するＬＥＤおよび外光という複数の光源を用いて液晶パネルを照射する液晶表示装置が開示されている。さらに、下記の特許文献３には、液晶パネルを構成する各画素に設けられる透過領域と反射領域の面積を光源からの距離に応じて変えることで輝度ムラを低減する液晶表示装置が開示されている。さらにまた、下記の特許文献４では、光学ユニットから照射される光の色（赤、青、緑）に応じて反射を行うダイクロイックミラーを用いて色ムラを無くした液晶表示装置が開示されている。
【特許文献１】特開２００１−２０９０４９号公報
【特許文献２】特開２００５−１３０３２５号公報
【特許文献３】特開２００５−４９６６４号公報
【特許文献４】特開２００５−１０７１８１号公報
【発明の開示】
【発明が解決しようとする課題】
【０００６】
図１５は、従来の一般的な液晶表示装置１を示しており、この液晶表示装置１は、液晶パネル３、拡散シート４、導光板５および反射シート６（反射部材に相当）を順次積層すると共に、導光板５の一方の側面部に対向するように光源ユニット２を配置した構成になっている。このような液晶表示装置１の光源ユニット２に、上述した高輝度ＬＥＤおよび高演色ＬＥＤを含ませて、発光させるＬＥＤの切替制御を行うと、それぞれのＬＥＤの発光特性に合わせて導光板２の導光パターンを設計しなければならない関係上、液晶パネル３に輝度ムラ（およびそれに伴い色ムラ）が生じる問題がある。
【０００７】
輝度ムラについて、図１６（ａ）（ｂ）を用いて説明をする。図１６（ａ）（ｂ）は、高輝度ＬＥＤ２ａと高演色ＬＥＤ２ｂをベース２ｃに交互に配置した光源ユニット２を設けた液晶表示装置１を示し、液晶パネル３の裏面に配置される導光板５は、高演色ＬＥＤ２ｂの照射に合わせて液晶パネル３の輝度が均一化されるような導光パターンを有する。そのため、図１６（ａ）に示すように、屋内での使用にあわせて高演色ＬＥＤ２ｂのみで照射した場合は、液晶パネル３の中心部を含む領域（図中、波線で示す）が均一に照射され、輝度ムラおよび色ムラは生じない。一方、図１６（ｂ）に示すように、屋外での使用にあわせて高輝度ＬＥＤ２ａおよび高演色ＬＥＤ２ｂの両方で照射を行うと、全体的な輝度が上昇するものの、高輝度ＬＥＤ２ａから照射された光が導光板で均一的に配分されず、高輝度ＬＥＤ２ａで照射される箇所において他に比べて明るい領域Ｒ１（図中、斜線で示す領域）が発生し、それにより領域Ｒ１で輝度ムラが生じる。
【０００８】
また、図１７（ａ）（ｂ）に示す液晶表示装置１′は、図１６（ａ）（ｂ）の液晶表示装置１と同様に、高輝度ＬＥＤ２ａ′と高演色ＬＥＤ２ｂ′をベース２ｃ′に配置した光源ユニット２′で液晶パネル３′を照射するものであるが、液晶パネル３の裏面に配置する導光板５′の導光パターンを、高輝度ＬＥＤ２ａ′と高演色ＬＥＤ２ｂ′の両方で照射した場合に、各ＬＥＤ２ａ′、２ｂ′からの光が均一的に配分されるようにしている。そのため、図１７（ａ）に示すように、屋外での使用にあわせて両ＬＥＤ２ａ′、２ｂ′で照射を行うと、液晶パネル３′の中心部を含む領域（図中、波線で示す）が均一に照射され、輝度ムラおよび色ムラは生じないが、図１７（ｂ）に示すように、屋内での使用に合わせて高演色ＬＥＤ２ｂ′のみで照射を行うと、高演色ＬＥＤ２ｂ′で照射された箇所が明るく浮かび上がる一方、高輝度ＬＥＤ２ａ′に対応して範囲には暗く落ち込んだ領域Ｒ２（図中、斜線で示す領域）が発生し、輝度ムラが生じる。
【０００９】
なお、高輝度ＬＥＤと高演色ＬＥＤは、それぞれが色の成分が異なる白色光を出しているので、輝度ムラの発生と共に液晶パネルに色ムラが生じる。具体的には、高輝度ＬＥＤから発せられる光は、色の成分として青色と黄色のみから構成される擬似的な白色光である。一方、高演色ＬＥＤから発せられる光は、青色、赤色、緑色から色成分が構成されており、より自然な白色光である。そのため、高輝度ＬＥＤで照射される領域と、高演色ＬＥＤで照射される領域とでは、表示コンテンツの色調が相違することになり、色ムラが発生してしまう。
【００１０】
さらに、上述した図１６（ａ）（ｂ）では、高演色ＬＥＤ２ｂから発せられた光が均一的に配分される導光パターンを導光板５に設けているが、導光パターンを導光板５の表面に凹凸で形成するには、導光板５の製作用金型に導光パターンに応じた切削加工が必要となり、また、導光パターンを印刷で形成するにはドットパターン印刷が導光板５に必要となり、いずれにしても導光板５の製作費を高める要因になっている。このことは、図１７（ａ）（ｂ）に示す導光板５′でも同様である。
【００１１】
本発明は、かかる問題に鑑みてなされたものであり、液晶パネルに積層配置する表示素子を新たに設け、その表示素子に輝度ムラおよび色ムラの発生する領域の輪郭形状の応じた画像パターンを表示することで、導光板に導光パターンを形成することなく、液晶パネルに生じていた輝度ムラおよび色ムラを解消するようにした液晶表示装置を提供することを目的とする。
【課題を解決するための手段】
【００１２】
上記課題を解決するために、本発明に係る液晶表示装置は、液晶パネルと反射部材との間に配置した導光板を介して前記液晶パネルを照射する光源ユニットを備える液晶表示装置において、前記光源ユニットは、発光特性が相違する第１ＬＥＤおよび第２ＬＥＤを含み、前記第１ＬＥＤは、前記第２ＬＥＤに比べて高輝度であり、前記第２ＬＥＤは、前記第１ＬＥＤに比べて高演色性であり、前記第１ＬＥＤおよび前記第２ＬＥＤの両方を発光させる第１発光状態と、前記第２ＬＥＤを発光させる第２発光状態とを切り替える切替手段と、前記導光板と反射部材との間に配置したモノクロ液晶パネルと、前記モノクロ液晶パネルに表示する画像パターンを記憶する記憶手段と、前記液晶パネルに画像を表示する場合に、前記モノクロ液晶パネルに前記画像パターンを表示する処理を行う表示処理手段とを備えることを特徴とする。
【００１３】
本発明にあっては、液晶パネルでの表示に合わせて、導光板と反射部材との間に配置したモノクロ液晶パネルに画像パターンを表示するので、光源ユニットから発せられた光を導光板を介して反射部材へ向かう場合に、モノクロ液晶パネルがシャッター機能として作用し、モノクロ液晶パネルで表示された画像パターンにより進行する光が遮られ、反射部材へ向かう光量が低下するようになる。それにより、画像パターンに応じた箇所での輝度散乱が抑制され、それにより明るさも抑制されるので、液晶パネルにおける明るさモノクロ液晶パネルに表示する画像パターンの形状で適宜調整できると共に、明るさ調整の度合も、画像パターンを形成する黒ドットの粗密度により適宜設定できるようになる。よって、光源ユニットの発光状態に応じて画像パターンを準備して適宜、モノクロ液晶パネルに表示すれば、導光板に導光パターンを形成しなくても、各発光状態に応じた明るさ調整、すなわち輝度調整を行えるようになり、それに伴い色ムラの解消等も実現できるようになる。
【００１４】
本発明に係る液晶表示装置は、前記液晶パネルが、パネル周囲の形状が矩形であり、前記光源ユニットは、前記液晶パネルの一辺部に対向するように配置してあり、前記モノクロ液晶パネルは、前記液晶パネルの一辺部の側を含むと共に前記一辺部の反対側となる他辺部の側を含まない範囲に応じた寸法にしてあることを特徴とする。
【００１５】
本発明にあっては、モノクロ液晶パネルが液晶パネルの一辺部の側を含み、他辺部の側を含まない範囲に応じた寸法にしてあるので、モノクロ液晶パネルのサイズは、液晶パネルより小さくなり、コスト低減に貢献できる。また、この場合でも光源ユニットに近い側にはモノクロ液晶パネルが位置することから、輝度ムラおよび色ムラが生じやすい光源ユニットに近い範囲に対して、モノクロ液晶パネルに所要の画像パターンを表示することで、輝度ムラおよび色ムラを解消するように明るさの調整を行える。なお、モノクロ液晶パネルが存在しない範囲においては、輝度ムラおよび色ムラの発生程度に応じて導光板に導光パターンを形成することも可能であるが、このように導光パターンを一部に形成する場合は、全面的に導光パターンを形成するときに比べて遙かにコストは抑制される。なお、モノクロ液晶パネルには、いわゆるメモリ特性を有する液晶パネルを用いれば、電圧を印加しなくても画像パターンの表示を維持でき、消費電力の削減に有効となる。
【００１６】
本発明に係る液晶表示装置は、液晶パネルと対向して配置した導光板を介して前記液晶パネルを照射する光源ユニットを備える液晶表示装置において、前記光源ユニットは、発光特性が相違する第１ＬＥＤおよび第２ＬＥＤを含み、前記第１ＬＥＤは、前記第２ＬＥＤに比べて高輝度であり、前記第２ＬＥＤは、前記第１ＬＥＤに比べて高演色性であり、
前記第１ＬＥＤおよび前記第２ＬＥＤの両方を発光させる第１発光状態と、前記第２ＬＥＤを発光させる第２発光状態とを切り替える切替手段と、前記導光板の液晶パネルと反対側の面と対向するように配置した反射型表示素子と、前記反射型表示素子に表示する画像パターンを記憶する記憶手段と、前記液晶パネルに画像を表示する場合に、前記反射型表示素子に前記画像パターンを表示する処理を行う表示処理手段とを備えることを特徴とする。
【００１７】
本発明にあっては、導光板の一方の面に一般的な反射部材（例えば、反射シート）の替わりに反射型表示素子を配置すると共に、この反射型表示素子に画像パターンを表示するので、反射型表示素子で反射して導光板へ向かう光の程度を調整できるようになる。すなわち、反射型表示素子は、画像パターンを表示しない場合では通常の反射部材と同様に機能するが、画像パターンを表示すると、その画像パターンの表示された箇所へ向かう光は反射程度が抑制され、導光板へ向かう光量が減少するようになる。よって、画像パターンの形状を液晶パネルの輝度ムラおよび色ムラが生じている位置およびムラ形状に合わせることで、輝度ムラおよび色ムラを解消できるようになる。なお、反射型表示素子としては、例えば電子ペーパーが相当し、この電子ペーパーもメモリ特性を有するタイプを用いれば、電圧を印加しなくても画像パターンの表示を維持でき、消費電力の低減を図るのに好適となる。
【００１８】
本発明に係る液晶表示装置は、液晶パネルと対向して配置した導光板を介して前記液晶パネルを照射する光源ユニットを備える液晶表示装置において、前記光源ユニットは、発光特性が相違する第１ＬＥＤおよび第２ＬＥＤを含み、前記第１ＬＥＤは、前記第２ＬＥＤに比べて高輝度であり、前記第２ＬＥＤは、前記第１ＬＥＤに比べて高演色性であり、前記第１ＬＥＤおよび前記第２ＬＥＤの両方を発光させる第１発光状態と、前記第２ＬＥＤを発光させる第２発光状態とを切り替える切替手段と、前記導光板の液晶パネルと反対側の面と対向するように配置した自発光型表示素子と、前記自発光型表示素子に表示する画像パターンを記憶する記憶手段と、前記液晶パネルに画像を表示する場合に、前記自発光型表示素子に前記画像パターンを表示する処理を行う表示処理手段とを備えることを特徴とする。
【００１９】
本発明にあっては、導光板の一方の面に一般的な反射部材（例えば、反射シート）の替わりに自発光型表示素子を配置すると共に、この自発光型表示素子に画像パターンを表示するので、自発光型表示素子で反射して導光板へ向かう光の程度を調整できるようになる。すなわち、自発光型表示素子は、画像パターンを表示しない場合では反射部材と同様に光を反射することになるが、画像パターンを表示すると、その画像パターンの表示された箇所での反射は、画像パターンを表示していない箇所より強くなる。よって、液晶パネルの輝度ムラおよび色ムラにより暗くなっている箇所に画像パターンを合わせて表示すれば、表示パネルの暗い箇所の明るさが増加して、輝度ムラおよび色ムラが解消されるようになる。
【００２０】
本発明に係る液晶表示装置は、前記記憶手段には、前記第１ＬＥＤから発せられた光で照射される箇所の輪郭形状に応じた第１画像パターンと、前記第２ＬＥＤから発せられた光で照射される箇所の輪郭形状に応じた第２画像パターンとが記憶してあり、前記表示処理手段は、前記切替手段が前記第１発光状態へ切り替えた場合、前記第１画像パターンの表示処理を行うと共に、前記切替手段が第２発光状態へ切り替えた場合、前記第２画像パターンの表示処理を行うことを特徴とする。
【００２１】
本発明にあっては、第１ＬＥＤから発せられた光で照射される箇所の輪郭形状に応じた第１画像パターンを第１発光状態で表示する一方、第２ＬＥＤから発せられた光で照射される箇所の輪郭形状に応じた第２画像パターンを第２発光状態で表示するので、いずれの発光状態でも各画像パターンで適切に輝度散乱が抑制され、液晶パネルに輝度ムラおよび色ムラが生じないように明るさが調整される。そのため、導光板に導光パターンを設けなくても、いずれの発光状態でも適切な導光を行えるようになり、導光板の製作コストの低減を図れるようになる。
【００２２】
本発明に係る液晶表示装置は、記導光板が、周囲の全体的な形状が矩形であると共に、少なくともいずれか一つの角部に面取り的な斜辺部が形成してあり、前記光源ユニットは、前記斜辺部に対向するように配置してあることを特徴とする。
本発明にあっては、導光板の斜辺部に対向して光源ユニットを配置するので、小型の液晶表示装置に適用される構造においても、本発明に係る構成を適用して輝度ムラおよび色ムラを解消できるようになる。
【発明の効果】
【００２３】
本発明にあっては、液晶パネルでの表示に合わせて、導光板と反射部材との間に配置したモノクロ液晶パネルに画像パターンを表示するので、液晶パネルの明るさを画像パターンに基づいて適宜調整できる。
また、本発明にあっては、モノクロ液晶パネルが液晶パネルの一辺部の側を含み、他辺部の側を含まない範囲に応じた寸法にしてあるので、モノクロ液晶パネルのサイズを小さくして、液晶表示装置に係るコストの低減を図れる。
【００２４】
本発明にあっては、導光板の一方の面に配置した反射型表示素子に画像パターンを表示するので、液晶パネルの明るさを画像パターンに基づいて適宜調整できる。
また、本発明にあっては、導光板の一方の面に配置した自発光型表示素子に画像パターンを表示するので、画像パターンに応じた液晶パネルの箇所の明るさを増すように液晶パネルの明るさに係る調整を実現できる。
【００２５】
本発明にあっては、第１ＬＥＤから発せられた光で照射される箇所の輪郭形状に応じた第１画像パターンを第１発光状態で表示する一方、第２ＬＥＤから発せられた光で照射される箇所の輪郭形状に応じた第２画像パターンを第２発光状態で表示するので、導光板に導光パターンを設けなくても、２種類の発光状態で適切に輝度を調整できるようになり、導光板に係るコストを低減できると共に、液晶パネルの輝度ムラおよび色ムラを解消できる。
また、本発明にあっては、導光板の斜辺部に対向して光源ユニットを配置するので、小型の液晶表示装置に適用される構造においても、本発明に係る構成を適用して輝度ムラおよび色ムラを解消できる。
【発明を実施するための最良の形態】
【００２６】
図１は、本発明の第１実施形態に係る液晶表示装置１０の主要な内部構成を示すブロック図である。液晶表示装置１０は、携帯電話機またはデジタルビデオカメラのような表示パネル（液晶パネル）を有する機器（屋内と屋外の両方で使用可能な表示機器）に適用可能なものであり、また、ディスプレイ装置（例えば、ワンセグ放送対応のポータブル型のテレビジョン装置）としても適用できる。液晶表示装置１０は、表示データ取得部１１、同期信号発生部１２、信号処理部１３、第１インタフェース部１４、第２インタフェース部１５、操作部１６、パターンテーブル１８を予め記憶したメモリ１７（記憶手段に相当）、制御部１９、および表示ユニット２０を含んでいる。以下、本実施形態の液晶表示装置１０について詳説する。
【００２７】
表示データ取得部１１は、表示ユニット２０に含まれる液晶パネル２１に表示する画面内容に応じた表示画面データを取得する処理を行い、液晶表示装置１０が適用される対象により、表示画面データの取得先は異なる。例えば、液晶表示装置１０がワンセグ放送対応のポータブルテレビジョン装置に相当する場合、表示データ取得部１１は、ワンセグチューナから表示画面データを取得することになる。また、液晶表示装置１０がデジタルビデオカメラに適用された場合は、画像の撮像を行う撮像素子（ＣＣＤ、ＣＭＯＳ等）から表示データ取得部１１は表示画面データを取得することになる。なお、表示データ取得部１１は、取得した表示画面データをＲＧＢの信号単位で信号処理部１３へ送る。
【００２８】
同期信号発生部１２は、表示ユニット２０に含まれる液晶パネル２１の表示に応じた水平同期信号および垂直同期信号を発生するものであり、発生した同期信号を信号処理部１３および制御部１９へ送っている。また、信号処理部１３は、表示データ取得部１１から送られる表示画面データに対して、表示ユニット２０で表示するための所要の処理を、同期信号発生部１２から送られる同期信号に同期して行うものであり、所要の処理として、例えばガンマ補正を行う。なお、信号処理部１３は、処理を施した表示画面データを第１インタフェース部１４へ送る。
【００２９】
第１インタフェース部１４はデータ供給手段に相当し、信号処理部１３から送られた処理済みの表示画面データを表示ユニット２０の液晶パネル２１へ、同期信号発生部１２から送られる同期信号に同期して供給する処理を行う。なお、第１インタフェース部１４が表示画面データを液晶パネル２１へ供給することで、液晶パネル２１には表示画面データに応じた画面が表示されることになる。
【００３０】
表示ユニット２０は、液晶パネル２１の裏面の側へ、光学シート２２、導光板２３、モノクロ液晶パネル２４および反射シート２５（反射部材に相当）を順に積層配置すると共に、平面視でパネル周囲が矩形状の液晶パネル２１の一辺部２１ａと同じ側の導光板２３の一側面部２３ａに対向するように光源ユニット３０を配置している。光学シート２２はＰＥＴ製であり、プリズムシートおよび拡散シートの機能を有し、集光させて正面輝度を向上させる働きを有すると共に、液晶パネル２１に対する輝度向上、光の拡散、輝度ムラの低減等を行う。
【００３１】
また、液晶パネル２１（水平方向（Ｘ方向）が３２０画素、垂直方向（Ｙ方向）が２４０画素の表示パネル）と反射シート２５の間に配置された導光板２３は、光源ユニット３０から照射される光を反射シート２５による反射を利用して液晶パネル２１へ向かわせる働きを有するものである。本実施形態の導光板２３は、図１６（ａ）（ｂ）に示す液晶表示装置１に含まれる導光板５のような導光パターンまたは図１７（ａ）（ｂ）に示す液晶表示装置１′に含まれる導光板５′のような導光パターンが形成されていないため、これらの導光板５、５′に比べて製作コストが抑えられている。
【００３２】
モノクロ液晶パネル２４は、カラーフィルタ無しのアクティブマトリクス型の表示素子から構成されている表示パネルであり、液晶パネル２１と同サイズ、同画素数のものが適用されている。モノクロ液晶パネル２４には、第２インタフェース部１５が接続されており、制御部１９の制御により、液晶パネル２１に表示画面データに基づく画像が表示されることに合わせて、メモリ１７に記憶されているパターンテーブル１８に格納された画像パターンが読み出されて、モノクロ液晶パネル２４に表示されるようになっている。なお、パターンテーブル１８には２種類の画像パターンが格納されており、１つ目は、図２（ｂ）に示す第１画像パターン３５であり、２つ目は図５（ａ）に示す第２画像パターン３６である。
【００３３】
光源ユニット３０は、導光板２３を介して液晶パネル２１を照射するものであり、図２（ａ）に示すように、計４個の高輝度ＬＥＤ（第１ＬＥＤに該当。図中、ハッチングを入れたＬＥＤ）３３と、計３個の高演色ＬＥＤ（第２ＬＥＤに該当）３２をベース３１に、交互に等間隔で配置している。高輝度ＬＥＤ３３は発光特性として、高演色ＬＥＤ３２より高輝度であり、高演色ＬＥＤ３２は発光特性として、高輝度ＬＥＤ３３より高演色性になっている。これらの各ＬＥＤ３２、３３は、液晶パネル２１の長手方向の一辺部２１ａの中央から図２（ａ）中の左右両側へ対称となるように配置されている。
【００３４】
なお、本実施形態では、高輝度ＬＥＤ３３には、青色ＬＥＤの発光チップと黄色蛍光体（Ｃａ−αサイアロン）とから構成されている白色ＬＥＤを用いており、高演色ＬＥＤ３２には、青色ＬＥＤの発光チップと赤色蛍光体（ＣａＡｌＳｉＮ３）と緑色蛍光体（βサイアロン）とから構成されている白色ＬＥＤを用いている。さらに、本実施形態では、各ＬＥＤ３２、３３には、チップ型形状のＬＥＤを適用しているが、砲弾型やフラット型のＬＥＤを適用することも勿論可能である。
【００３５】
光源ユニット３０に含まれる各ＬＥＤ３２、３３の表示状態は、制御部１９により制御されており、制御部１９は操作部１６に含まれる切替スイッチの操作状況により各ＬＥＤ３２、３３の表示状態を切り替える。具体的には、操作部１６には、屋外用の表示パターンと屋内用の表示パターンを切り替える切替スイッチが含まれており、この切替スイッチがユーザにより屋外用の表示パターン側へ操作されると、制御部１９は切替手段として、光源ユニット３０に含まれる高輝度ＬＥＤ３３および高演色ＬＥＤ３２の両方を発光させる状態（第１発光状態）にセットする。また、操作部１６の切替スイッチがユーザにより屋内用の表示パターン側へ操作されると、制御部１９は切替手段として、光源ユニット３０に含まれる高演色ＬＥＤ３２を発光させる状態（第２発光状態）へ切り替える。
【００３６】
図２（ａ）は、操作部１６の切替スイッチが屋外用の表示パターン（第１発光状態）にセットされた場合に、本発明に係る処理が行われない状態での表示パネル２１の表示状況を示した概略図である。この場合、液晶パネル２１の光源ユニット３０に近い一辺部２１ａ側の範囲に、各ＬＥＤ３２、３３に対向する箇所（各ＬＥＤ３２、３３に照射される箇所）に応じた領域Ｒ１０が、他の箇所に比べて明るくなるため、輝度ムラおよび色ムラが生じる。また、領域Ｒ１０の輪郭形状は丁度、各ＬＥＤ３２、３３の中央部分に対向する箇所が鋭く突出した波形曲線Ｌ１０になっている。なお、領域Ｒ１０では、明るくなっているレベルは一様ではなく、最も明るくなるのは各ＬＥＤ３２、３３の中心線に応じた箇所であり、その中心線から左右へ離れるほど、明るくなるレベルは落ちている。
【００３７】
また、図２（ｂ）は、液晶パネル２１に画像が表示される場合に、制御部１９の制御によりモノクロ液晶パネル２４に表示される第１画像パターン３５を示している。第１画像パターン３５は、図２（ａ）の第１発光状態で生じる領域Ｒ１０の輪郭に応じた波形曲線Ｌ１０と同等のパターン形状３５ａを有している。このパターン形状３５ａの光源ユニット３０側の方へ囲まれる部分を、図２（ａ）では簡易的に黒ベタで表しているが、この黒ベタの部分は、黒ドットの集合で形成されており、図２（ａ）の領域Ｒ１０の明るさレベルに対応して、明るさレベルが高い箇所は黒ドットが密になっており、明るさレベルが低くなるにつれて黒ドットが疎になるように、明るさレベルの箇所に応じて黒ドットの粗密度が変えられている。
【００３８】
モノクロ液晶パネル２４に、上述した第１画像パターン３５が表示されることで、図２（ａ）の領域Ｒ１０における輝度散乱が抑制され、輝度分布の明るさが目立たないように制御されて、輝度ムラおよび色ムラが解消される。具体的には、図１に示すように、光源ユニット３０から照射された光が、一旦、導光板２３を抜けてモノクロ液晶パネル２４へ向かうと、モノクロ液晶パネル２４で表示される第１画像パターン３５に対する光の進行位置に応じて、進行が抑制される光が生じる。
【００３９】
図３（ａ）は、図２（ｂ）のＡ−Ａ線における光の進行度合を表しており、光Ｋ１は、モノクロ液晶パネル２４に表示された第１画像パターン３５のパターン形状３５ａに当たるため、表示された黒ドットにほとんど吸収されるようになり、光Ｋ１の光量は低下する。一方、光源ユニット３０の配置側から離れた箇所でモノクロ液晶パネル２４へ向かった光Ｋ２は、パターン形状３５ａに当たらないため、モノクロ液晶パネル２４を通過して、反射シート２５で反射し、再度、モノクロ液晶パネル２４を通過して液晶パネル２１へ向かう。
【００４０】
また、図３（ｂ）は、図２（ｂ）のＢ−Ｂ線における光の進行度合を表しており、光Ｋ３は、モノクロ液晶パネル２４に表示された第１画像パターン３５のパターン形状３５ａに当たるため、図３（ａ）の光Ｋ１と同様に、黒ドットにほとんど吸収されるようになり、光Ｋ３の光量は低下する。一方、光源ユニット３０の配置側から離れた箇所でモノクロ液晶パネル２４へ向かった光Ｋ４は、図３（ａ）の光Ｋ２と同様に進行する。なお、第１画像パターン３５のパターン形状３５ａは、場所に応じて黒ドットの疎密度に差があるため、パターン形状３５ａに当たっても、その当たった箇所によって光量が低下する度合いにも差が生じるが、この差は、上述した領域Ｒ１０の明るさレベルの差に対応しているので、明るさレベルが高いほど光量は低下し、明るさレベルが低いほど、光量の低下度合も低くなる。
【００４１】
図４は、上述したモノクロ液晶パネル２４における第１画像パターン３５の表示により、明るさが調整された液晶パネル２１の表示状態を示しており、光源ユニット３０が第１発光状態でも、第１画像パターン３５により輝度散乱が抑制された結果、液晶パネル２１での輝度ムラおよび色ムラが解消されている。
【００４２】
また、図５（ａ）は、操作部１６の切替スイッチが、屋内用の表示パターン（第２発光状態）にセットされた場合に、モノクロ液晶画面２４に表示される第２画像パターン３６のパターン形状３６ａを示している。このパターン形状３６ａも、本発明に係る処理を行わない場合に液晶パネル２１に表示される輝度ムラおよび色ムラの生じる箇所（高演色ＬＥＤ３２に照射される箇所に相当）の領域の輪郭に応じた形状になっており、図５（ａ）中、黒ベタで表示された部分は、黒ドットの集合になっており、液晶パネル２１の輝度ムラおよび色ムラの生じる領域の明るさレベルの相異に応じて、黒ドットの疎密度が異なっているのは、第１画像パターン３５と同等である。
【００４３】
よって、第１実施形態の液晶表示装置１０は、高演色ＬＥＤ３２のみを発光させる第２発光状態でモノクロ液晶画面２４に図５（ａ）に示すような第２画像パターン３６を表示することにより、図５（ｂ）に示すように液晶パネル２１では輝度ムラおよび色ムラが発生しなくなる。
【００４４】
なお、本発明に係る液晶表示装置１０は、上述した説明内容に限定されるものではなく種々の変形例が存在する。例えば、第１発光状態と第２発光状態との切替は操作部１６に設けた切替スイッチでの操作指示に基づいて行うようにしているが、照度を検知する照度センサを用いて切替をおこなってもよい。この場合は、照度センサを制御部１９に接続すると共に、メモリ１７に照度に係る閾値を記憶させ、照度センサが検知した値が閾値を上回る場合は、屋外にいると判定して第１発光状態に切り替えると共に、検知した値が閾値を下回る場合は、屋内に居ると判定して第２発光状態に切り替える制御を制御部１９が行うことになる。また、光源ユニット３０の高輝度ＬＥＤ３３および高演色ＬＥＤ３２の数は、液晶パネル２１のサイズまたは仕様等に応じて適宜増減可能であり、さらに、高輝度ＬＥＤ３３および高演色ＬＥＤ３２の並ぶ順序は、図１に示す場合と逆にすることも可能である。
【００４５】
さらに、モノクロ液晶パネル２４は電圧を印加している場合にだけ、画像を表示できるもの以外に、メモリ特性を有する画素で構成された所謂メモリ液晶パネルをモノクロ液晶パネル２４に適用することが可能である。この場合、一旦、モノクロ液晶パネル２４に第１画像パターン３５または第２画像パターン３６を表示すれば、後は、モノクロ液晶パネル２４に電圧を印加しなくても、第１画像パターン３５または第２画像パターン３６の表示を維持できるので、消費電力を抑制する点で好適となる。さらにまた、モノクロ液晶パネル２４には、画像の表示を行う箇所が白くなり、表示を行わない箇所は黒くなる所謂ホワイト液晶パネルを用いることも可能であり、この場合は、図２（ｂ）の第１画像パターン３５では、図中、白い部分を表示することになり、図５（ａ）の第２画像パターン３６でも、白い部分を表示することになる。
【００４６】
図６（ａ）は、第１実施形態の変形例に係る表示ユニット４０を示している。この表示ユニット４０は、矩形状の液晶パネル４１の長辺部４１ａと短辺部４１ｂが交わる角部に斜辺部４１ｃを形成し、その斜辺部４１ｃに対向するように光源ユニット５０を配置していることが特徴である。なお、光源ユニット５０は、高輝度ＬＥＤ５３と、高演色ＬＥＤ５２をベース５１に配置している。また、液晶パネル４１の裏面側に配置される光学シート４２、導光板４３、モノクロ液晶パネル４４および反射シート４５も、液晶パネル４１と同等の周囲形状になっている。
【００４７】
導光板４３には導光パターンが形成されていないため、図６（ａ）に示す第１発光状態では、各ＬＥＤ５２、５３に照射される箇所を含む領域Ｒ２０に輝度ムラおよび色ムラが生じ、領域Ｒ２０の輪郭は、各ＬＥＤ５２、５３の対向箇所が最も鋭く突出した波形曲線Ｌ２０になっている。図６（ｂ）は、モノクロ液晶パネル４４に表示された変形例の第１画像パターン５５を示しており、この第１画像パターン５５は、図６（ａ）の領域Ｒ２０の波形曲線Ｌ１０の形状に応じたパターン形状５５ａを有している。そのため、このような構成の表示ユニット４０においても、モノクロ液晶パネル４４の第１画像パターン５５の表示により、図６（ａ）に示す輝度ムラおよび色ムラは解消される。なお、この変形例でも、第２発光状態では、高演色ＬＥＤ５２の照射箇所の輪郭形状に対応した第２画像パターンをメモリ１７のパターンテーブル１８から読み出して、同様にモノクロ液晶パネル４４に表示することで、第２発光状態における輝度ムラおよび色ムラは解消できる。
【００４８】
図７（ａ）は、別の変形例の表示ユニット６０を示しており、この表示ユニット６０は、モノクロ液晶パネル６４が、図１のモノクロ液晶パネル２４に比べて光源ユニット６６の位置する側の下半分のサイズになっていることが特徴である。表示ユニット６０は、液晶パネル６１の一辺部６１ａ側に光源ユニット６６を配置するので、一辺部６１ａと反対側となる他辺部６１ｂの側は光源ユニット６６から離れていることから輝度ムラが生じにくい。
【００４９】
そのため、図７（ｂ）に示すように、モノクロ液晶パネル６４を、光源ユニット６６側の一辺部６１ａを含み、一辺部６１ａに反対の他辺部６１ｂの側を含まない範囲（Ｙ＝１１９〜Ｙ＝２３９の画素に応じた範囲）に応じた寸法にすることで、モノクロ液晶パネル６４のサイズを小さくでき、それにともない、図２（ｂ）のパターン形状３５ａと同等のパターン形状６８ａを含む第１画像パターン６８のサイズも半分にでき、メモリ１７の占有率を低減できる。なお、この場合、モノクロ液晶パネル６４が存在しない導光板６３の範囲６３ｂに導光パターンを形成してもよいが、全面的に導光パターンを形成する場合に比べると、形成範囲が小さいことから低コストで導光パターンを形成できる。
【００５０】
図８は、本発明の第２実施形態に係る液晶表示装置７０を示している。液晶表示装置７０は、表示ユニット８０の構成以外は第１実施形態とほぼ同等の仕様になっており、表示データ取得部７１、同期信号発生部７２、信号処理部７３、第１インタフェース部７４、第２インタフェース部７５、操作部７６、パターンテーブル７８を予め記憶したメモリ７７（記憶手段に相当）、制御部７９、および表示ユニット８０を含んでいる。一方、表示ユニット８０は、液晶パネル８１の裏面の側へ、光学シート８２、導光板８３、および電子ペーパー８４を順に積層配置すると共に、平面視でパネル周囲が矩形状の液晶パネル８１の一辺部８１ａに対向する側に光源ユニット９０を配置している。
【００５１】
電子ペーパー８４は、反射型表示素子に該当し、メモリ７７に記憶されたパターンテーブル７８に格納された第１実施形態と同等の第１画像パターン、第２画像パターン等が表示可能であり、画像パターンを表示していないときは、反射シートと同等の反射機能を確保している。
【００５２】
図９（ａ）は、第１実施形態の図２（ａ）の状態に対応するものであり、第２実施形態に係る処理を行わない場合、表示パネル８１において、光源ユニット９０のベース９１に配置された高輝度ＬＥＤ９３および高演色ＬＥＤ９２に照射される箇所に対応した領域Ｒ３０に輝度ムラおよび色ムラが生じている。また、図９（ｂ）は、電子ペーパー９５に表示された第１動画パターン９５を示しており、この第１動画パターン９５は、第１実施形態の第１動画パターン３５と同等であり、図９（ａ）の領域Ｒ３０の波形曲線Ｌ３０に応じたパターン形状９５ａを有している。
【００５３】
図１０（ａ）は、図９（ｂ）のＣ−Ｃ線における電子ペーパー８４の表面８４ａにおける光の反射度合を表しており、光Ｋ１０は、電子ペーパー８４の表面８４ａに表示された第１画像パターン９５のパターン形状９５ａに当たるため、表示された黒ドットにほとんど光量が吸収されるようになり、光Ｋ１０は、電子ペーパー８４の表面８４ａで殆ど反射しない。一方、光源ユニット９０の配置側から離れた箇所で電子ペーパー８４の表面８４ａに向かった光Ｋ１１は、パターン形状９５ａに当たらないため、表面８４ａで反射し、導光板８３等を通過して液晶パネル８１へ向かう。
【００５４】
また、図１０（ｂ）は、図９（ｂ）のＤ−Ｄ線における光の進行度合を表しており、光Ｋ１２は、電子ペーパー８４の表面８４ａに表示された第１画像パターン９５のパターン形状に当たるため、図９（ａ）の光Ｋ１０と同様に、黒ドットにほとんど吸収されるようになり、光Ｋ１２の光量は低下する。一方、光源ユニット９０の配置側から離れた箇所で電子ペーパー８４の表面８４ａへ向かった光Ｋ１３は、図１０（ａ）の光Ｋ１１と同様に進行する。なお、第１画像パターン９５のパターン形状９５ａも、第１実施形態と同様に、場所に応じて黒ドットの疎密度に差がある。
【００５５】
第２実施形態では、上述したように反射シートの替わりに用いた電子ペーパー８４に画像パターンを表示することで、光源ユニット９０から発せられた光の反射量を輝度ムラおよび色ムラの発生位置に応じて調整するので、輝度散乱を抑制して明るさが目立たないように輝度分布の制御が可能となり、輝度ムラおよび色ムラが解消される。なお、第２実施形態の液晶表示装置７０では、第２発光状態に切り替われば、図５（ａ）に示す第１実施形態の第２画像パターン３６と同等のパターン形状を電子ペーパー８４に表示して、第２発光状態においても輝度ムラおよび色ムラが生じないようにする。また、第２実施形態でも、第１実施形態で説明した各種変形例の適用が可能であり、特に、電子ペーパー８４は一旦、画像パターンを表示すれば、電圧印加を解除しても表示を維持できるので、省電力の点で好適となる。
【００５６】
図１１（ａ）（ｂ）に示す第２実施形態の変形例に係る表示ユニット１００は、第１実施形態の図７（ａ）（ｂ）で示した変形例に相当するものであり、電子ペーパー１０４を、光源ユニット１０６が配置されている側の下半分（液晶パネル１０１のＹ＝１１９〜Ｙ＝２３９の範囲）に応じた寸法で形成したものであり、第２実施形態では、上半分となる箇所には反射シート１０５を電子ペーパー１０４の上辺部１０４ｂに接合した構成にしている。このようにすることで、電子ペーパー１０４の表面１０４ａには、図１１（ｂ）に示す第１画像パターン１０８のパターン形状１０８ａを表示して、液晶パネル１０１の明るさを調整できると共に、光源ユニット１０６から離れた上半分では通常の反射シート１０５で光を反射して、導光板１０３および光学シート１０２を通過させて光を液晶パネル１０１へ進行させて液晶パネル１０１の照射を適正に行える。
【００５７】
図１２は、本発明の第３実施形態に係る液晶表示装置１１０を示している。液晶表示装置１１０は、表示ユニット１２０の構成以外は、第１実施形態および第２実施形態とほぼ同等の仕様になっており、表示データ取得部１１１、同期信号発生部１１２、信号処理部１１３、第１インタフェース部１１４、第２インタフェース部１１５、操作部１１６、パターンテーブル１１８を予め記憶したメモリ１１７（記憶手段に相当）、制御部１１９、および表示ユニット１２０を含んでいる。一方、表示ユニット１２０は、液晶パネル１２１の裏面の側へ、光学シート１２２、導光板１２３、およびＥＬ素子パネル１２４を順に積層配置すると共に、平面視でパネル周囲が矩形状の液晶パネル１２１の一辺部１２１ａに対向する側に第１実施形態と同等の構成の光源ユニット１３０を配置している。
【００５８】
ＥＬ（Electro-Luminescence）素子パネル１２４は、自発光型表示素子（例えば、白色発光アクティブマトリクス型のＥＬ素子）に該当し、メモリ１１７に記憶されたパターンテーブル１１８に格納された第１実施形態と同等のパターン形状を有する第１画像パターン、第２画像パターン等が表示可能であり、画像パターンを表示していないときは、反射シートと同等の反射機能を確保している。なお、ＥＬ素子パネル１２４は、画像パターンを表示すると、表示した画像パターンの白色度が増す特性になっているので、画像パターンに応じた箇所の輝度が増えることになる。そのため、第３実施形態の第１画像パターンおよび第２画像パターンは、パターン形状自体は第１実施形態と同様であるが、図２（ａ）の第１画像パターン３５および図５（ａ）の第２画像パターン３６における白い箇所のパターン形状をＥＬ素子パネル１２４で表示することになる。
【００５９】
図１３は、ＥＬ素子パネル１２４の表面１２４ａに第１発光状態に対応した第１画像パターン１３５を表示した状態を示しており、図中斜線で示す領域Ｒ４０は表示を行っていない箇所であり、領域Ｒ４０の輪郭を表す波形曲線Ｌ４０の外側の領域Ｒ４１（図１３中、白色で表した箇所）をＥＬ液晶パネル１２４で表示しているものとする。
【００６０】
図１４（ａ）は、図１３（ｂ）のＥ−Ｅ線におけるＥＬ素子パネル１２４の表面１２４ａにおける光の反射度合を表しており、光Ｋ２０は、ＥＬ素子パネル１２４の表示が行われていない領域Ｒ４０で反射するので、光量の増加はない。一方、表示が行われている領域Ｒ４１で反射した光Ｋ２１は、反射後の輝度が増している。また、図１４（ｂ）は、図１３（ｂ）のＦ−Ｆ線における光の進行度合を表しており、光Ｋ２２は、ＥＬ素子パネル１２４の表面１２４ａに表示された領域Ｒ４０に当たるので、光量が増加することなく反射しており、光Ｋ２３は、表示が行われている領域Ｒ４１で反射するので、反射後の輝度が増している。なお、光Ｋ２１〜Ｋ２３は反射後、いずれも液晶パネル１２１を照射することになるが、領域Ｒ４１で反射した光Ｋ２１、Ｋ２３は輝度が増しているので、結局光源ユニット１３０の各ＬＥＤの照射箇所の周囲の輝度が増すことになり、その結果、液晶パネル１２１全体としては輝度差が解消され、それに伴い輝度ムラおよび色ムラの発生が防止される。
【００６１】
なお、上述した説明では第１発光状態で第１画像パターン１３５を、ＥＬ素子パネル１２４に表示する場合で説明したが、第２発光状態で第２画像パターンを表示する場合も上記と同様の処理となり、特に第２画像パターンの構成は、図１３に示す第１画像パターン１３５と同様に表示する箇所が、第１実施形態および第２実施形態と逆になっている。また、第３実施形態でも、第１実施形態で述べた各種変形例の適用が可能になっている。
【図面の簡単な説明】
【００６２】
【図１】本発明の第１実施形態に係る液晶表示装置の主要部を示すブロック図である。
【図２】（ａ）は第１発光状態で本発明に係る処理を行わない場合の表示状態を示す概略図、（ｂ）はモノクロ液晶パネルに第１画像パターンを表示した状態を示す概略図である。
【図３】（ａ）は、図２（ｂ）のＡ−Ａ線における光の進行状態を示す概略断面図、（ｂ）は図２（ｂ）のＢ−Ｂ線における光の進行状態を示す概略断面図である。
【図４】モノクロ液晶パネルでの第１画像パターンの表示により液晶パネルでの輝度ムラおよび色ムラが解消された状態を示す概略図である。
【図５】（ａ）はモノクロ液晶パネルに第２画像パターンを表示した状態を示す概略図、（ｂ）はモノクロ液晶パネルでの第２画像パターンの表示により輝度ムラおよび色ムラが解消された状態を示す概略図である。
【図６】変形例の表示ユニットであり、（ａ）は第１発光状態で本発明に係る処理を行わない場合の表示状態を示す概略図、（ｂ）はモノクロ液晶パネルに第１画像パターンを表示した状態を示す概略図である。
【図７】（ａ）は別の変形例に係る表示ユニットの側方からの概略図、（ｂ）変形例のモノクロ液晶パネルに第１画像パターンを表示した状態を示す概略図である。
【図８】本発明の第２実施形態に係る液晶表示装置の主要部を示すブロック図である。
【図９】（ａ）は第１発光状態で本発明に係る処理を行わない場合の表示状態を示す概略図、（ｂ）は電子ペーパーに第１画像パターンを表示した状態を示す概略図である。
【図１０】（ａ）は、図９（ｂ）のＣ−Ｃ線における光の反射状態を示す概略断面図、（ｂ）は図９（ｂ）のＤ−Ｄ線における光の反射状態を示す概略断面図である。
【図１１】（ａ）は第２実施形態の別の変形例に係る表示ユニットの側方からの概略図、（ｂ）変形例の電子ペーパーに第１画像パターンを表示した状態を示す概略図である。
【図１２】本発明の第３実施形態に係る液晶表示装置の主要部を示すブロック図である。
【図１３】ＥＬ素子パネルに第１画像パターンを表示した状態を示す概略図である。
【図１４】（ａ）は、図１３（ｂ）のＥ−Ｅ線における光の反射状態を示す概略断面図、（ｂ）は図１３（ｂ）のＦ−Ｆ線における光の反射状態を示す概略断面図である。
【図１５】一般的な液晶表示装置の構成を示す側方からの概略図である。
【図１６】（ａ）は第２発光状態を示す概略図、（ｂ）は第１発光状態で輝度ムラが生じた状況を示す概略図である。
【図１７】（ａ）は第１発光状態を示す概略図、（ｂ）は第２発光状態で輝度ムラが生じた状況を示す概略図である。
【符号の説明】
【００６３】
１０  液晶表示装置
１１  表示データ取得部
１４  第１インタフェース部
１５  第２インタフェース部
１６  操作部
１７  メモリ
１８  パターンテーブル
１９  制御部
２０  表示ユニット
２１  液晶パネル
２３  導光板
２４  モノクロ液晶パネル
３０  光源ユニット
３２  高演色ＬＥＤ（第２ＬＥＤ）
３３  高輝度ＬＥＤ（第１ＬＥＤ）
３５  第１画像パターン
３６  第２画像パターン
８４  電子ペーパー
１２４  ＥＬ素子パネル
【図１】
2009053319.tif 000003
【図２】
2009053319.tif 000004
【図３】
2009053319.tif 000005
【図４】
2009053319.tif 000006
【図５】
2009053319.tif 000007
【図６】
2009053319.tif 000008
【図７】
2009053319.tif 000009
【図８】
2009053319.tif 000010
【図９】
2009053319.tif 000011
【図１０】
2009053319.tif 000012
【図１１】
2009053319.tif 000013
【図１２】
2009053319.tif 000014
【図１３】
2009053319.tif 000015
【図１４】
2009053319.tif 000016
【図１５】
2009053319.tif 000017
【図１６】
2009053319.tif 000018
【図１７】
2009053319.tif 000019